(57)【特許請求の範囲】
【請求項１】
敷居または鴨居に複数条の溝が設けられ、複数の戸がそれぞれ前記溝に沿って移動可能に取付けられ、前記複数の戸のうち、手前側の戸と奥側の戸にはそれぞれ把手が取付けられており、前記戸の移動を規制するストッパを備え、前記把手と前記ストッパとがそれぞれの戸の端面に当接することにより、少なくとも２つの異なる開口幅が設定される引き戸であって、
前記引き戸は、前記ストッパの規制時には人が通行可能な開口幅が確保され、前記ストッパの非規制時には前記把手が、該把手の設けられた戸と隣接する戸の端面と当接することによって、車椅子が通行可能な開口幅に設定されることを特徴とする引き戸。
【請求項２】
前記溝は３条以上設けられ、３枚以上の戸がそれぞれ前記溝に沿って移動可能に取付けられ、隣接する戸が擦れ違って移動する引戸であって、前記ストッパは、両端の戸における隣接する戸が対向する対向面に備えられることを特徴とする請求項１記載の引き戸。
【請求項３】
前記ストッパは、前記戸の上下の２箇所に隣接する戸が同時に当接するように備えられることを特徴とする請求項１または２記載の引き戸。
【発明の詳細な説明】
【０００１】
【発明の属する技術分野】
本発明は、浴室、シャワー室等に好適に使用される引き戸に係り、特に、歩行の不自由な人であっても、また車椅子利用者であっても出入しやすいように開口幅を調整できる引き戸に関する。
【０００２】
【従来の技術】
従来、この種の引き戸としては、実開昭６２−２７１７１号公報に記載の両立式引戸における中途固定装置がある。この公報に記載の技術は、外側引戸の室内側上下枠に添着された固定装置体は上下枠に固着されるべき基部とこの基部に対して起倒する起倒部とから構成され、基部と起倒部は当該起倒部が基部に対して直交方向に起立した時、当該起倒部がロックするよう構成されている。そして、ロック状態においては、前記公報の第２図に示すように、内側引戸が僅かにずれてロックされ、換気が可能な状態となるものである。
【０００３】
また、別の引き戸として、実開昭６３−５１７０号公報に記載の引違い引戸の補助錠がある。この公報に記載の技術は、引違い引戸の屋外側引戸の横框に装着して屋内側引戸の摺動を阻止する引戸の補助錠であって、筐体内に２個以上の係止体を、屋内側引戸の走行部に出没自在に設け、第１の係止体は引違い引戸の閉鎖状態で屋内引戸を係止する位置とし、他の係止体は第１の係止体から一定距離だけ離れた位置とすることを特徴とするものである。
【０００４】
この引違い引戸の補助錠は、突出方向に付勢された阻止体を操作体に連動するスライド部材が保持する構成であり、操作体を操作することによりスライド部材が移動して阻止体を解放し、バネにより屋内側引戸の走行部に突出して屋内側引戸の走行を阻止するものである。また、揺動可能の阻止体を、屋内側引戸の走行部に突出させて、その走行を阻止するものである。
【０００５】
【発明が解決しようとする課題】
ところで、前記構造の中途固定装置や引違い引戸の補助錠は、主に浴室の換気や防犯を目的としたものであり、固定装置体のロック時や補助錠の規制時には僅かな開口が得られるだけで、当然のことながら、この開口を出入りに利用することはできず、例えば人が通行できるものではなかった。このように、補助錠等のストッパによる規制時、非規制時によって開口幅を変更し、人を通行させるという発想は全くなかった。また、一般的な引戸においては、車椅子利用者でも通行可能な広い開口幅を持たせているが、自立歩行可能な歩行の不自由な人にとっては、逆に開口幅が広すぎて歩行時に不安感を生じていた。
【０００６】
本発明は、このような問題に鑑みてなされたものであって、その目的とするところは、ストッパ等による規制時には、例えば歩行の不自由な人が比較的狭い開口幅の通路を立った状態で安心して通行でき、非規制時には広い開口幅の通路を車椅子が通行可能であるように、開口幅を変更できるストッパを有する引き戸を提供することにある。
【０００７】
【課題を解決するための手段】
前記目的を達成すべく、本発明に係る引き戸は、敷居または鴨居に複数条の溝が設けられ、複数の戸がそれぞれ前記溝に沿って移動可能に取付けられ、前記複数の戸のうち、手前側の戸と奥側の戸にはそれぞれ把手が取付けられており、前記戸の移動を規制するストッパを備え、前記把手と前記ストッパとがそれぞれの戸の端面に当接することにより、少なくとも２つの異なる開口幅が設定される引き戸であって、前記引き戸は、前記ストッパの規制時には人が歩行して通行可能な開口幅が確保され、前記ストッパの非規制時には前記把手が、該把手の設けられた戸と隣接する戸の端面と当接することによって、車椅子が通行可能な開口幅に設定されることを特徴とする。具体的には、規制時には５５０〜７５０ｍｍの開口幅に設定され、非規制時には８５０ｍｍ以上の開口幅に設定される。
【０００８】
また、本発明に係る引き戸の好ましい具体的な態様としては、前記溝は３条以上設けられ、３枚以上の戸がそれぞれ前記溝に沿って移動可能に取付けられ、隣接する戸が擦れ違って移動する引戸であって、前記ストッパは、両端の戸における隣接する戸が対向する対向面に備えられることを特徴とする。また、前記ストッパは、前記戸の上下の２箇所に隣接する戸が同時に当接するように備えられることを特徴としている。
【０００９】
このように構成された本発明の引き戸は、ストッパで規制したときには開口幅が５５０〜７５０ｍｍの幅で開口し、一般的な人が通行できると共に歩行の不自由な人が、戸の把手と縦桟につかまった状態で安定して通行することができる。またストッパを解除した非規制時には開口幅が８５０ｍｍ以上となり、身体の不自由な人が車椅子で通行することができる。３枚以上の戸の両端の戸にストッパを備えることにより、さらに異なる開口幅とすることができる。ストッパを上下の２箇所に備えることにより、規制時に戸を安定して停止させることができる。
【００１０】
【発明の実施の形態】
以下、本発明に係る引き戸の一実施形態を図面に基づき詳細に説明する。図１は、本実施形態に係る浴室に用いる引き戸の全閉状態を示す正面図、図２は、図１の全開状態を示す正面図、図３は、図１のＡ−Ａ線断面図および図２のＢ−Ｂ線断面図、図４は動作状態を示す断面図である。図１〜４において、引き戸１０は、３枚の戸１１、１２、１３が、枠２０を構成する敷居２１と鴨居２２およびこれらを連結する縦桟２３、２４内に移動可能に支持されている。そして、見付け方向（幅方向）における左右両端の戸、すなわち戸１１または戸１３を操作することにより、左右両方から開閉することのできる両開き戸である。戸１１、１２、１３は左右の縦框と上下の框とからなる長方形の枠内に、ガラス板またはアクリル等の透光樹脂板を納めたものである。
【００１１】
戸１１、１２、１３は鴨居２２に設けた３列の溝２２ａ、２２ｂ、２２ｃ（図１参照）にそれぞれ吊り下げられ、敷居２１に設けた３列の溝２１ａ、２１ｂ、２１ｃに円柱状のガイドピン１４が挿入して、枠２０内を溝に沿って移動可能である。ここで、溝２２ａ、２２ｂ、２２ｃは、見込み方向（奥行き方向）の異なる位置に平行に等間隔で設けられている。また、溝２１ａ、２１ｂ、２１ｃも同様である。
【００１２】
引き戸１０は戸１１、１２、１３の見付け方向の移動のみにより開閉される。また、これら３枚の戸１１、１２、１３すべてが見付け方向に順に並ぶことで、図１および図３（ａ）に示すように全閉状態となる。吊り下げ構造は図示しないが、例えば鴨居２２の溝の上部に位置する滑車から吊り下げる構成や、溝の上部に位置するスライダに吊り下げる構成等を用いることができる。ここで、鴨居２２に設けた溝は、滑車が移動可能であれば、断面形状は特に限定されず、例えば下方や側方に開放した凹溝等が挙げられる。
【００１３】
中央の戸１２を除く奥の戸１１と、手前側の戸１３には把手１５、１６が取付けてある。把手１６は手前の戸１３の右框に、把手１５は奥の戸１１の左框に取付けられ、手前の戸１３の把手１６は奥側が３列の溝より大きく延出し、中央の戸１２の右端面と当接可能である。また、奥の戸１１の把手１５は手前側が３列の溝より前方に大きく延出し、中央の戸１２の左端面と当接可能である。このため、手前の把手１６を操作して手前の戸１３を左方に移動すると、中央の戸１２も把手１６に当接して左方に移動されるように構成され、奥の戸１１を右方に移動すると、中央の戸１２も把手１５に当接して右方に移動させることができる。把手１５、１６は戸１１、１３に強固に取付けられ、引き戸を通行するときに体重をかけても変形しないものである。
【００１４】
３枚の戸１１、１２、１３は、図１のように開口部を全閉するように位置するときに、縦框が重なるような寸法に設定されている。そして、この重合部分、すなわち重ね框に各戸の連係部が位置している。すなわち、手前側の戸１３の裏面には例えば断面が矩形状の係止部１３ａが左框に沿って上下方向に突設され、中央の戸１２の右框前面には同様の形状の係止部１２ａが突設され、手前の係止部１３ａの右面に中央の係止部１２ａの左面が当接するように構成されている。
【００１５】
また、中央の戸１２の左框裏面には係止部１２ｂが突設され、奥の戸１１の右框前面には係止部１１ａが突設され、中央の係止部１２ｂの右面に奥の係止部１１ａの左面が当接するように構成されている。このため、引き戸１０が図２のように全開状態で、戸１３に戸１１、１２が重なっている状態から把手１５を左方に押して戸１１を左に移動させると、隣接する戸１２の係止部１２ｂと戸１１の係止部１１ａが係合し、戸１１が擦れ違って戸１２を左方に移動させることができる。そして、戸１１が縦桟２３に当接すると、戸１２の係止部１２ａと戸１３の係止部１３ａが当接した状態となるように構成されている。
【００１６】
奥の戸１１と手前の戸１３には、戸の移動を規制するストッパ３０、３１が備えられている。ストッパ３０は戸１１と戸１２の対向する対向面に、すなわち前述した重合部分を除く戸１１の上下の框の前面に埋め込まれて取付けられ、ストッパ３１は戸１３と戸１２の対向する対向面に、すなわち重合部分を除く戸１３の上下の框の裏面に埋め込まれて取付けられている。ストッパ３０、３１は同一構造であり、ケースに揺動可能に支持されたストップ片３０ａ、３１ａがケースより出没するものであり、突出したときに対向する係止部に当接することにより戸の移動を規制し、没入したときは戸の移動が自由となるものである。
【００１７】
すなわち右のストッパ３０の規制時には、ストップ片３０ａが突出し、中央の戸１２の係止部１２ｂに当接して戸１２を連動させるものであり、ストッパ３１の規制時にはストップ片３１ａが突出し、中央の戸１２の係止部１２ａに当接して戸１２を連動させるものである。ストッパ３０、３１のストップ片３０ａ、３１ａは上下の框の同じ位置に、すなわち戸１１、１３の端面から等距離に取付けられ、上下のストップ片３０ａ、３１ａが係止部１２ａ、１２ｂと同時に当接するため、戸１１、１２のそれ以上の移動を強固に阻止し、戸１１、１２は安定して停止する。
【００１８】
ストッパは突出位置と、没入位置との間を揺動するものであり、２位置に摩擦的に保持されるものであるが、ばね等により２位置に付勢した状態で保持するものでもよく、２位置に対応するケース部に突出可能に設けた位置決め片等により保持するように構成してもよい。またストップ片が奥行き方向に往復動するもので、ボールペンのノック部等に使用される２位置保持装置のように、一度押し込むと没入状態となり、再度押し込むと突出状態となるストッパ等、適宜用いることができる。
【００１９】
前記の如く構成された本実施形態の引き戸１０の動作について、図３を参照して説明する。図３（ａ）の状態から引き戸１０を全開させる場合は、ストッパ３０、３１を没入状態とし、非規制状態とする。例えば奥の戸１１を、把手１５を押圧して右方に移動させると、奥の戸１１は右方への移動を妨げるものがなく、自由に移動することができ、把手１５が中央の戸１２の左端面に当接して戸１２を一緒に移動し、中央の戸１２の右端面が右の把手１６と当接して図３（ｂ）のように停止する。この場合は左側が最大の開口幅Ｗ１となり、本例では９２０〜９５０ｍｍ程度に設定されている。特に車椅子での利用を想定すると、開口幅Ｗ１は約９００ｍｍ〜１２００ｍｍが好ましい。前記の場合、左側を開ける動作を説明したが、右側を開ける場合は、右側の手前の戸１３を左方に移動すると、同様に最大の開口幅Ｗ１で右側を開けることができる。
【００２０】
開口幅Ｗ１で開口した引き戸１０を閉じるときは、図３（ｂ）の状態から把手１５を左方に押圧すると戸１１は左方に移動し、戸１１の前面の係止部１１ａと戸１２の裏面の係止部１２ｂが係合し、戸１２を連係して左方に移動させることができる。そして、戸１１が左の縦桟２３に当接すると、戸１２の前面の係止部１２ａと戸１３の裏面の係止部１３ａが当接し、図３（ａ）の状態となる。このように係止部同士が当接することにより、例えば引き戸１０を浴室等の水廻り設備室に用いた場合、湿気が室外に進入することを防止できる。
【００２１】
次に、ストッパ３０、３１を作動させて、規制状態とする場合について、図４（ａ）を参照して説明する。ストッパのストップ片３０ａ、３１ａを揺動させ、ストップ片が突出した規制状態とする。この状態で、例えば左側の戸１１の把手１５を右方に押圧すると、戸１１は溝２１ａに沿って右方に移動し、ストッパ３０のストップ片３０ａが戸１２の係止部１２ｂと当接し、さらに把手１５を押圧すると戸１１と一体となって戸１２を右方に移動し、戸１２の右方の係止部１２ａがストッパ３１のストップ片３１ａと当接して停止する。
【００２２】
この状態は開口幅Ｗ２が６５０ｍｍ程度であり、一般的な人が立って出入するのに好都合であると共に、歩行の不自由な人が縦桟２３と戸１１の把手１５につかまって出入するのに好都合な開口幅である。戸１１は上下の框に取付けた２つのストッパ３０によって安定した状態で停止し、戸１３も上下の框に取付けた２つのストッパ３１により安定した状態で停止しているため、把手１５に相当な体重をかけても移動せず、歩行の不自由な人でも体重をかけて安心して通行することができる。なお、右側の戸１３を移動して、右側を開口させる場合も同じ開口幅Ｗ２となる。
【００２３】
ストッパ３０、３１の一方のみを作動させる場合について、図４（ｂ）を参照して説明する。例えばストッパ３０を規制状態としてストッパ片３０ａだけ突出させた場合、戸１１を右方に移動するとストッパ片３０ａは係止部１２ｂに当接し、戸１２を連係して右方に移動する。戸１２の右の係止部１２ａはストッパ３１のストップ片３１ａが突出していないためストッパ３１を通過し、戸１２の右端面が戸１３の把手１６と当接して停止する。この場合の開口幅Ｗ３は、前記した開口幅Ｗ１、Ｗ２の中間の８００ｍｍ程度となる。ストッパ３１のみを作動させた場合も同様の開口幅Ｗ３となる。
【００２４】
なお、前記した実施形態では、ストッパ３０、３１は戸１１、１２、１３を連係させる係止部に当接するように構成したが、図５に示すように、ストッパ３０と同じ高さで、ストップ片３０ａが当接する係止爪３３を戸１２の裏面側に突設し、ストッパ３１と同じ高さで、ストップ片３１ａが当接する係止爪３４を戸１２の前面側に突設するように構成し、連係部は別途設けるようにしてもよい。
【００２５】
また、係止部は断面が矩形状のものを示したが、断面が半円形状や、断面Ｌ字状等、適宜の形状のものを適用でき、対向する戸の前面または裏面から突設し、引き違い時に連係して当接するものなら形状を問わない。また、３枚引き戸に限らず、２枚の引き違い戸や４枚以上の引き戸にも適用できる。複数の戸は鴨居から吊り下げる構成の例を示したが、戸車等により敷居の溝を移動する構成でもよい。さらに、一方の戸、例えば奥側の戸を固定し、手前側の戸のみを開閉するように構成してもよい。
【００２６】
【発明の効果】
以上の説明から理解できるように、本発明の引き戸は、ストッパの規制時には５５０〜７５０ｍｍの幅で開口するため、一般的な人が普通に通行することができ、歩行の不自由な人は戸の把手と縦桟の幅が狭いため、両方の手でつかまって安定した状態で通行することができる。ストッパの非規制時には８５０mm以上の幅で開口するため、身体の不自由な人が車椅子に乗った状態で通行することができる。また、３枚以上の戸を備える引戸において、ストッパを両端の戸に備えることにより、さらに異なる開口幅で開口させることができる。ストッパを上下に備えることにより戸を安定させて停止でき、押圧しても移動しにくくなり、戸につかまって安心して通行できる。
【図面の簡単な説明】
【図１】本発明に係る引き戸の一実施形態の全閉状態を示す正面図。
【図２】図１の全開状態を示す正面図。
【図３】（ａ）は図１のＡ−Ａ線断面図、（ｂ）は図２のＢ−Ｂ線断面図。
【図４】（ａ）は両方のストッパで規制した開口状態を示す断面図、（ｂ）は一方のストッパで規制した開口状態を示す断面図。
【図５】本発明に係る引き戸の他の実施形態を示す正面図。
【符号の説明】
１０  引き戸
１１、１２、１３  戸
１１ａ、１２ａ、１２ｂ、１３ａ  係止部
２０  枠
２１  敷居
２２  鴨居
２１ａ、２１ｂ、２１ｃ、２２ａ、２２ｂ、２２ｃ  溝
２３、２４  縦桟
１５、１６  把手
３０、３１  ストッパ
３３、３４  係止爪
Ｗ１、Ｗ２、Ｗ３  開口幅
【図１】
0003792505.tif 000002
【図２】
0003792505.tif 000003
【図３】
0003792505.tif 000004
【図４】
0003792505.tif 000005
【図５】
0003792505.tif 000006